(57)【要約】【課題】支持部材に対して接合された装飾部材の剥離が抑制される遊技機を提供すること。【解決手段】可撓性を有する装飾部材１１と、前記装飾部材１１を支持する支持部材１２と、前記装飾部材１１と前記支持部材１２とを接合する接合層１３と、を有する装飾ユニット１０を備え、前記装飾部材１１の周縁に沿う前記装飾部材１１と前記支持部材１２の間の接合領域Ｓには、前記接合層１３が設けられた接合部分１３１と、前記接合層１３が設けられていない非接合部分１３２とが存在することを特徴とする遊技機１とする。【選択図】図３
2019195411.tif 000002
【特許請求の範囲】
【請求項１】
可撓性を有する装飾部材と、
前記装飾部材を支持する支持部材と、
前記装飾部材と前記支持部材とを接合する接合層と、
を有する装飾ユニットを備え、
前記装飾部材の周縁に沿う前記装飾部材と前記支持部材の間の接合領域には、前記接合層が設けられた接合部分と、前記接合層が設けられていない非接合部分とが存在することを特徴とする遊技機。
【請求項２】
前記接合領域において、前記接合部分である範囲の方が、前記非接合部分である範囲よりも大きいことを特徴とする請求項１に記載の遊技機。
【請求項３】
前記装飾部材は、前記接合層を介して前記支持部材の一方側に接合されるものであるとともに、前記装飾ユニットは、前記支持部材の他方側に設けられる特定部材を有し、
前記装飾部材と前記特定部材は、締結部材により連結されていることを特徴とする請求項１または請求項２に記載の遊技機。
【請求項４】
前記締結部材は螺子であり、
前記装飾部材には、前記螺子が螺合する螺合部が設けられていることを特徴とする請求項３に記載の遊技機。
【請求項５】
前記装飾部材における前記締結部材が係合する部分は、前記接合領域よりも内側に位置することを特徴とする請求項３または請求項４に記載の遊技機。
【請求項６】
前記装飾部材は、所定の平面方向に沿う平坦部と、当該平面方向に対して傾斜した傾斜部とを有し、
前記非接合部分の少なくとも一部は、前記装飾部材における前記傾斜部と前記支持部材の間に存在することを特徴とする請求項１から請求項５のいずれか一項に記載の遊技機。
【発明の詳細な説明】
【技術分野】
【０００１】
本発明は、遊技機に関する。
【背景技術】
【０００２】
下記特許文献１等に記載されるように、遊技機においては、種々の装飾部材が接着により固定されている。
【先行技術文献】
【特許文献】
【０００３】
【特許文献１】特開２００４−１４７８２１号公報
【発明の概要】
【発明が解決しようとする課題】
【０００４】
本発明が解決しようとする課題は、支持部材に対して接合された装飾部材の剥離が抑制される遊技機を提供することにある。
【課題を解決するための手段】
【０００５】
上記課題を解決するためになされた本発明にかかる遊技機は、可撓性を有する装飾部材と、前記装飾部材を支持する支持部材と、前記装飾部材と前記支持部材とを接合する接合層と、を有する装飾ユニットを備え、前記装飾部材の周縁に沿う前記装飾部材と前記支持部材の間の接合領域には、前記接合層が設けられた接合部分と、前記接合層が設けられていない非接合部分とが存在することを特徴とする。
【発明の効果】
【０００６】
本発明にかかる遊技機によれば、支持部材に対して接合された装飾部材の剥離が抑制される。
【図面の簡単な説明】
【０００７】
【図１】本実施形態にかかる遊技機の正面図である。
【図２】表示装置（表示領域）に表示された識別図柄および保留図柄を示した図である。
【図３】（ａ）は可動部材の平面図、（ｂ）は（ａ）に示すＡ−Ａ線断面図、（ｃ）は（ａ）に示すＢ−Ｂ線断面図、（ｄ）は（ａ）に示すＣ−Ｃ線断面を拡大して示した図である。
【図４】第一具体例を説明するための図である。
【図５】第二具体例を説明するための図である。
【発明を実施するための形態】
【０００８】
以下、本発明にかかる遊技機１の一実施形態について図面を参照して詳細に説明する。まず、図１を参照して遊技機１の全体構成について簡単に説明する。
【０００９】
遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００１０】
遊技領域９０２には、表示装置９１、始動入賞口９０４、大入賞口９０６、アウト口９０７などが設けられている。かかる表示装置９１の表示領域９１１は、遊技盤９０に形成された開口９０１を通じて視認可能となる領域である。なお、表示領域９１１の形状等は適宜変更可能である（開口９０１の形状や大きさ、表示装置９１自体の形状や大きさを変更することで表示領域９１１の形状等を変更することができる）。
【００１１】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１２】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。
【００１３】
大当たりの抽選は、図示されない制御基板に設けられた当否判定手段が始動入賞口９０４への遊技球の入賞を契機として実行する（このような始動入賞口は複数設けられていてもよい）。具体的には、始動入賞口９０４への遊技球の入賞を契機として乱数源から数値（当否判定情報）が取得され、当該数値が予め定められた大当たりの数値と同じである場合には大当たりとなり、異なる場合にははずれとなる。本実施形態では、当該数値が取得された順に当否判定結果の報知が開始される（いわゆる変動が開始される）こととなるが、ある数値が取得されたときに、それより前に取得された数値に基づく当否判定結果が報知されている際には、当該ある数値に基づく当否判定結果が開始されるまで、図示されない制御基板に設けられた記憶手段に記憶される。未だ当否判定の報知が開始されていない数値（以下単に保留と称することもある）の最大の記憶数（最大保留数）は適宜設定することができる。本実施形態における記憶手段が記憶できる最大保留数は、一種の始動入賞口９０４につき四つである。記憶手段に上記数値（当否判定情報）が記憶されていることは、保留図柄８０として表示される（図２参照）。なお、本実施形態では、当否判定の報知が開始される時点で、取得された数値が大当たりとなる数値か否かが判断されることとなるが、数値が取得されたときに当否判定を行い、当否判定結果自体を記憶させておく構成としてもよい（この場合には当否判定結果自体が、当否判定情報に相当することとなる）。また、取得された数値は、当否判定結果を報知する演出の具体的な内容を決定するための数値としても利用される。
【００１４】
なお、遊技機１の枠体、遊技球を貯留する下皿や上皿など、本発明に関係のない遊技機１の構成要素は説明を省略する。これらについては公知の遊技機と同様の構造のものが適用できる。
【００１５】
本実施形態では、公知の遊技機と同様に、表示装置９１の表示領域９１１に表示される識別図柄７０（図２参照）の組み合わせによって当否判定結果を遊技者に報知する。具体的には、複数種の識別図柄７０を含む識別図柄群７０ｇ（左識別図柄群７０ｇＬ、中識別図柄群７０ｇＣ、右識別図柄群７０ｇＲ）が変動を開始し、最終的に各識別図柄群７０ｇから一の識別図柄７０が選択されて停止する。大当たりに当選している場合には各識別図柄群７０ｇから選択されて停止した識別図柄７０の組み合わせは所定の組み合わせ（例えば、同じ識別図柄７０の三つ揃い）となる。はずれである場合にはそれ以外（大当たりとなる組み合わせ以外）の組み合わせとなる。なお、各図においては、識別図柄７０を構成する「数字（文字）」のみを図示するが、当該数字とキャラクタ等が組み合わされた図柄を識別図柄７０として設定することができる。
【００１６】
本実施形態にかかる遊技機１は、演出効果（装飾効果）を高めるための装飾ユニット１０を備える。以下、当該装飾ユニット１０について詳細に説明する。
【００１７】
装飾ユニット１０は、装飾部材１１および支持部材１２を備える（図３参照）。装飾ユニット１０のベースである支持部材１２に対し、装飾機能を発現する装飾部材１１が支持された構造である。装飾ユニット１０は、遊技機１の本体側に固定された動かないものであってもよいし、駆動源等により所定の範囲を動作するものであってもよい。本実施形態における装飾ユニット１０は、表示領域９１１の上側に固定されている（図１参照）。
【００１８】
装飾部材１１は、可撓性を有する部材である。本実施形態における装飾部材１１は、大きく屈曲させない限り塑性変形しないような材質で形成されたシート状（本実施形態では１mm程度の厚みを有する）の部材である。装飾部材１１の前面には所定の装飾が施されている。
【００１９】
支持部材１２は、硬質の樹脂材料で形成された部材である。本実施形態における支持部材１２は、大まかにみれば枠状の部材であり、当該枠を構成する周壁部１２１および周壁部１２１の前端から内側に向かって突出する前壁部１２２を有する。当該前壁部１２２は、支持部材１２の周縁に沿って形成された部分であるともいえる。前壁部１２２の突出長さは小さく、前壁部１２２の先端（内側の端部）よりも内側には開口１２３が形成される。周壁部１２１の形状が支持部材１２（装飾ユニット１０）の全体の大まかな形状になるといえる。本実施形態では、装飾部材１１の外縁形状と支持部材１２の外縁形状は略同じである。装飾部材１１の外縁と支持部材１２の外縁を一致させるようにして、支持部材１２の前壁部１２２の前面に装飾部材１１が接合されている（図３（ｂ）（ｃ）参照）。
【００２０】
装飾部材１１は、接合層１３を介して支持部材１２に接合されている。当該接合層１３を構成する接着剤の種類等は問わない。いわゆる両面テープ等、何らかの材料に接着剤が固定化されたようなものも、接合層１３を構成するものに含まれるものとする。以下で説明するような接合構造を実現するためには、当該両面テープ等を用いた方が、組み立て時の作業が容易になるため好ましいともいえる。装飾部材１１と支持部材１２の間の領域を接合領域Ｓとすれば、当該接合領域Ｓには、接合層１３が設けられた部分（以下、接合部分１３１と称することもある）と、接合層１３が設けられていない部分（以下、非接合部分１３２と称することもある）とが存在する（図３（ｄ）参照）。つまり、装飾ユニット１０の周縁、すなわち装飾部材１１や支持部材１２（前壁部１２２）の外縁に沿ってみれば、一部は接合層１３を介して接合されているものの、他の一部は接合されていない。
【００２１】
本実施形態では、装飾ユニット１０の周縁に沿って、複数の接合部分１３１と複数の非接合部分１３２とが存在する。接合部分１３１と非接合部分１３２の一方の間に、他方が存在する。接合強度を確保するため、接合領域Ｓ全体でみれば、接合部分１３１が設けられた範囲の方が、非接合部分１３２である範囲よりも大きい。
【００２２】
このような構成とすることによる作用は以下の通りである。装飾ユニット１０を組み立てる際や装飾ユニット１０を取り付ける際に、装飾部材１１に対し作業者の力がかかる（支持部材１２にかかる力よりも大きな力が装飾部材１１にかかる）可能性がある。また、遊技機が設置されている環境の変化（外気温の変化等）により、装飾部材１１や支持部材１２が膨張・収縮する可能性がある（膨張・収縮量は装飾部材１１と支持部材１２とで異なる）。このような状況は、支持部材１２からの装飾部材１１の剥離を招くおそれがある。本実施形態のように、非接合部分１３２を設けることで、上記のような力の少なくとも一部や膨張・収縮量の違いが非接合部分１３２によって吸収（厳密には、装飾部材１１における支持部材１２に接合されていない部分の変形による吸収）されるから、接合部分１３１においての剥離が生じにくくなる。
【００２３】
また、接合部分１３１が設けられた範囲の方が、非接合部分１３２である範囲よりも大きいから、（接合領域Ｓ全体を接合部分１３１とした構造と比較して）接合強度が著しく低くなってしまうことはない。
【００２４】
以下、上記実施形態にかかる遊技機１を改良、変形、具体化等した具体例について説明する。なお、以下の具体例を用いて説明する技術的事項を複数組み合わせて適用した構成としてもよい。
【００２５】
○第一具体例
装飾ユニット１０が、装飾部材１１に接続される特定部材を有する構成とする（図４参照）。装飾部材１１に接続されるものであれば特定部材はどのようなものであってもよいが、その一例としては電気回路が構築された基板２０（以下、単に基板２０と称する）を例示することができる。装飾部材１１には、光を透過させる光透過部（図示せず）が形成されているとする。当該光透過部に向けて光を出射させる光源２１が基板２０に実装されている。光源２１から出射された光は光透過部を透過し、装飾部材１１の装飾態様を変化させる。上記基板２０には、当該光源２１を制御する回路が構築される。当該基板２０は、支持部材１２の後側に設けられる。つまり、装飾ユニット１０は、支持部材１２の前側に装飾部材１１が設けられ、後側に基板２０が設けられたものとされる。より具体的には、前後方向において、装飾部材１１と基板２０との間に前壁部１２２が位置するようにされ、基板２０と前壁部１２２の間には空間が存在するようにされる。
【００２６】
本例では、基板２０の前側に、基板２０と前壁部１２２の間隔を維持するための維持部材４０が設けられている。維持部材４０は、その前面が前壁部１２２の後面に、後面が基板２０の前面に接触した状態にある。また、基板２０の破損等を防止するため、基板２０の後側に補強部材５０が設けられている。ただし、これら維持部材４０や補強部材５０が設けられていない構造としてもよい。
【００２７】
装飾部材１１と基板２０とは締結部材により締結されている。本例における締結部材は螺子である（以下、締結部材を螺子部材３０と称することもある）。基板２０には、螺子部材３０を通すための貫通孔が形成されている。具体的には、螺子部材３０の螺子部分（雄螺子部）は通るものの、螺子部材３０の頭部は通らない大きさの貫通孔が形成されている。なお、本例では、補強部材５０にも同じ位置に貫通孔が形成されている。螺子部材３０は装飾ユニット１０の後側に頭部（螺子頭）が位置するようにして当該貫通孔に通される。
【００２８】
一方、装飾部材１１には、螺子部材３０が螺合（係合）される螺子穴１０ｓ（雌螺子；本願発明における螺合部に相当する）が形成されている。なお、当該螺子穴１０ｓは前もって形成されたものであってもよいし、螺子部材３０をいわゆるタッピング螺子とし、螺子部材３０が螺合される際に形成されるものとしてもよい。螺子部材３０の後側には、後方に向かって突出するボス１０ｂ（突起）が形成されており、当該ボス１０ｂに螺子穴１０ｓが形成されている。当該螺子穴１０ｓは、接合領域Ｓよりも内側の領域（装飾部材１１に正対したとき、接合領域Ｓに囲まれる内側の領域）に設けられている。
【００２９】
上述した通り、螺子部材３０はその頭部が後側に位置するようにして貫通穴に通され、装飾部材１１に形成された螺子穴１０ｓに螺合されている。装飾ユニット１０の組み立て時には、支持部材１２に対して装飾部材１１が接合された後、螺子部材３０と基板２０とが螺子部材３０によって締結される締結作業が行われることになるところ、当該締結作業時には、後側から螺子が押し付けられるような力が装飾部材１１に加わることとなる。また、螺子部材３０を螺子穴１０ｓに螺合させていく際には、螺子部材３０によって引っ張られるような力が装飾部材１１に加わることになる。具体的には、螺子穴１０ｓ（螺子部材３０が係合される箇所）は、接合領域Ｓよりも内側の領域であるため、装飾部材１１の前壁部１２２に支持されていない内側の部分（前後方向において支持部材１２の開口１２３に重なる部分）に当該引っ張り力が作用することになり、可撓性を有する装飾部材１１の内側の部分が螺子部材３０側に変形してしまうおそれがある。このような力は、接合層１３を介して接合されている支持部材１２と装飾部材１１の剥離を促してしまうおそれがあるところ、上述した通り支持部材１２と装飾部材１１の間には非接合部分１３２が設けられており、このような力が非接合部分１３２によって吸収されるから、当該剥離の促進が抑制されることとなる。
【００３０】
なお、締結部材を螺子とするのはあくまで一例である。何らかの部材により装飾部材１１と基板２０とが接続される（何らかの部材が装飾部材１１に係合される）のであれば、その接続作業の際に支持部材１２と装飾部材１１とを剥離させるような力が生じることになるから、非接合部分１３２を設ける意義があるといえる。ただし、本例のように螺子部材３０によって装飾部材１１と基板２０とが接続される構造の場合、螺子部材３０が螺子穴１０ｓに螺合する際の引っ張り力（上述）が装飾部材１１に作用することは不可避であるから、非接合部分１３２を設ける意義が大きいといえる。
【００３１】
〇第二具体例
装飾部材１１は、基準となる所定の平面（以下、基準面と称することもある。本例においては前後方向に直交する平面方向を指す）方向に沿う平坦部１１１と、基準面に対して傾斜した傾斜部１１２とを有するものとする（図５参照）。装飾部材１１全体でみて、平坦部１１１である範囲は、傾斜部１１２である範囲よりも大きいものとされる。装飾部材１１が接合される支持部材１２の前壁部１２２（前壁部１２２の全面）が、基準面に沿う平坦な部分と、基準面に対して傾斜した部分とを有し、当該前壁部１２２に対して可撓性を有する装飾部材１１が接合されることにより、装飾部材１１がこのような形状を呈するものとなる。なお、ここでいう「傾斜」とは、まっすぐな斜面に沿う態様だけをいうのではなく、曲面に沿うような態様も含むものとする。つまり、支持部材１２の前壁部１２２における基準面に対して傾斜した部分の前面には、曲面も含まれるものとする。
【００３２】
このような構成を前提として、非接合部分１３２の少なくとも一部は、傾斜部１１２と支持部材１２（前壁部１２２における傾斜した部分の前面）の間に設けられるものとする（図５参照）。つまり、基準面方向に沿ってみると、装飾部材１１における基準面からの距離が変化していくような部分は、支持部材１２（前壁部１２２）と接合されていない箇所を含むものとされる。
【００３３】
傾斜部１１２は、可撓性を有する装飾部材１１が変形させられた部分であるといえるから、当該傾斜部１１２には応力が生じる。仮に、傾斜部１１２も支持部材１２に接合される構造であるとすると、当該応力による剥離が生じてしまうおそれがある。つまり、そもそも傾斜部１１２は、支持部材１２に接合されたとしても剥離が生じやすい部分であるといえるから、当該傾斜部１１２を利用して非接合部分１３２を確保するものとすることが好ましいといえる。つまり、装飾部材１１において、平坦部１１１は支持部材１２との接合のために利用され、傾斜部１１２は非接合部分１３２を確保するために利用されるものとするとよい。ただし、装飾部材１１における傾斜部１１２の全てが支持部材１２に接合されていない構造とすると、傾斜部１１２と支持部材１２（前壁部１２２における傾斜した部分の前面）との間に大きな空間が生じてしまうおそれがあるから、傾斜部１１２の少なくとも一部は支持部材１２に接合された構造とすることが好ましい。また、平坦部１１１においても支持部材１２と接合されない箇所（非接合部分１３２）を設けた構造とすることを否定するわけではない。
【００３４】
〇第三具体例
上記実施形態における装飾部材１１は、可撓性を有する材料で形成されたものであることを説明したが、硬質材料で形成されたものとしてもよい。このような硬質材料で形成された装飾部材１１であっても、装飾ユニット１０を組み立てる際や装飾ユニット１０を取り付ける際に、装飾部材１１に対し作業者の力がかかることで接合された装飾部材１１と支持部材１２の剥離が生じてしまうおそれがあるから、接合領域Ｓに非接合部分１３２を設ける意義があるといえる。ただし、可撓性を有する材料で形成された装飾部材１１とする場合、硬質材料で形成されたものと比較して装飾部材１１が変形することによる剥離が生じやすいといえるから、可撓性を有する材料で形成された装飾部材１１に非接合部分１３２を設けることの必要性は、硬質材料で形成されたものよりも大きいといえる。
【００３５】
また、装飾部材１１の一部が可撓性を有する材料で形成され、他の一部が硬質材料で形成されたものとしてもよい。
【００３６】
〇第四具体例
上記実施形態では、装飾部材１１の外縁形状と支持部材１２の外縁形状は略同じであることを説明したが、このような構成に限られるわけではない。また、装飾部材１１や支持部材１２の周縁に沿う領域が接合領域Ｓとして設定されていることを説明したが、これ以外の領域が接合領域Ｓとして設定された構成としてもよい。
【００３７】
以上、本発明の実施の形態について詳細に説明したが、本発明は上記実施の形態に何ら限定されるものではなく、本発明の要旨を逸脱しない範囲で種々の改変が可能である。
【００３８】
上記実施形態にかかる遊技機１はいわゆるぱちんこ遊技機であるが、可動する部材を備えた遊技機であれば、回動式遊技機等の異なる遊技機に対しても同様の技術思想が適用可能である。
【００３９】
上記実施形態から得られる具体的手段（遊技機）を以下に列挙する。
【００４０】
・手段１
可撓性を有する装飾部材と、前記装飾部材を支持する支持部材と、前記装飾部材と前記支持部材とを接合する接合層と、を有する装飾ユニットを備え、前記装飾部材の周縁に沿う前記装飾部材と前記支持部材の間の接合領域には、前記接合層が設けられた接合部分と、前記接合層が設けられていない非接合部分とが存在することを特徴とする。
上記遊技機によれば、支持部材に対して接合された装飾部材の剥離を促すような力が生じたとしても、当該力の少なくとも一部が非接合部分によって吸収されるから、当該剥離が抑制される。
【００４１】
・手段２
前記接合領域において、前記接合部分である範囲の方が、前記非接合部分である範囲よりも大きいことを特徴とする手段１に記載の遊技機。
このような構成とすることで、支持部材に対する装飾部材の接合強度が著しく小さくなってしまうことが抑制される。
【００４２】
・手段３
前記装飾部材は、前記接合層を介して前記支持部材の一方側に接合されるものであるとともに、前記装飾ユニットは、前記支持部材の他方側に設けられる特定部材を有し、前記装飾部材と前記特定部材は、締結部材により連結されていることを特徴とする手段１または手段２に記載の遊技機。
このように、装飾部材と特定部材が締結部材により連結される構成である場合、当該締結部材による連結作業を行う際に装飾部材にかかる力が装飾部材の剥離を促すおそれがあるところ、このような力の少なくとも一部が非接合部分により吸収されることになる。
【００４３】
・手段４
前記締結部材は螺子であり、前記装飾部材には、前記螺子が螺合する螺合部が設けられていることを特徴とする手段３に記載の遊技機。
締結部材が螺子である場合、当該螺子を螺合させる際に装飾部材を引っ張る力が当該装飾部材に作用し、当該力が装飾部材の剥離を促すおそれがあるところ、このような力の少なくとも一部が非接合部分により吸収されることになる。
【００４４】
・手段５
前記装飾部材における前記締結部材が係合する部分は、前記接合領域よりも内側に位置することを特徴とする手段３または手段４に記載の遊技機。
このような構造であると、締結部材が装飾部材に接続される際、装飾部材における接合領域の内側の部分が締結部材に引っ張られることが装飾部材の剥離を促すおそれがあるところ、このような引っ張り力の少なくとも一部が非接合部分により吸収されることになる。
【００４５】
・手段６
前記装飾部材は、所定の平面方向に沿う平坦部と、当該平面方向に対して傾斜した傾斜部とを有し、前記非接合部分の少なくとも一部は、前記装飾部材における前記傾斜部と前記支持部材の間に存在することを特徴とする手段１から手段５のいずれかに記載の遊技機。
上記のような傾斜部が設けられる場合、当該傾斜部が支持部材に接合されるとしても当該箇所において剥離が生じやすくなるから、当該傾斜部を利用して非接合部分を設けることが好ましい。
【符号の説明】
【００４６】
１  遊技機
１０  装飾ユニット
１１  装飾部材
１１１  平坦部
１１２  傾斜部
１０ｓ  螺子穴（螺合部）
１２  支持部材
１２１  周壁部
１２２  前壁部
Ｓ  接合領域
１３  接合層
１３１  接合部分
１３２  非接合部分
２０  基板（特定部材）
３０  螺子部材（締結部材）
【図１】
2019195411.tif 000003
【図２】
2019195411.tif 000004
【図３】
2019195411.tif 000005
【図４】
2019195411.tif 000006
【図５】
2019195411.tif 000007